(57)【特許請求の範囲】
【請求項１】
海底面に挿入される海上風力発電機支持用モノパイルが貫通する貫通孔が中心部に形成された胴体部を有し、前記貫通孔に前記モノパイルを嵌合させつつ海底面に固定される洗掘防止用キャップであって、
前記胴体部は、前記中心部から縁部側に延設され、前記縁部側よりも前記中心部側が上方へ膨らむ流線形状に形成されていることを特徴とする、洗掘防止用キャップ。
【請求項２】
前記胴体部は上方に開口する複数の孔を含むことで、海水中で前記キャップを前記モノパイルに設置する場合、正の浮力を低減させることを特徴とする、請求項１に記載の洗掘防止用キャップ。
【請求項３】
前記胴体部の下端に形成された縁部に連結され、海底面に挿入されるように形成された挿入部をさらに含むことを特徴とする、請求項１に記載の洗掘防止用キャップ。
【請求項４】
前記貫通孔の外周面に垂直に延設され、前記モノパイルを支持する固定部をさらに含むことを特徴とする、請求項１に記載の洗掘防止用キャップ。
【請求項５】
海上風力発電機用基礎スラブにおいて、
タワーが結合され且つ海底面に挿入されるモノパイルが中心部に固定される胴体部；及び
前記胴体部の縁部から下方に円筒状に形成され、海底面に挿入されて前記胴体部を含む前記基礎スラブを前記海底面に固定させる挿入部；
を含み、前記胴体部は、前記縁部よりも前記中心側が上方へ膨らむ流線形状に形成されていることを特徴とする、海上風力発電機用基礎スラブ。
【請求項６】
前記挿入部は、サクション圧力によって前記海底面に挿入されて固定されることを特徴とする、請求項５に記載の海上風力発電機用基礎スラブ。
【請求項７】
前記挿入部は末端に挿入刃が形成されたことを特徴とする、請求項５に記載の海上風力発電機用基礎スラブ。
【請求項８】
前記挿入刃は、前記挿入部の両面がテーパー状に形成されてなることを特徴とする、請求項７に記載の海上風力発電機用基礎スラブ。
【請求項９】
前記挿入刃は、前記挿入部の一面がテーパー状に形成されてなることを特徴とする、請求項７に記載の海上風力発電機用基礎スラブ。
【請求項１０】
前記胴体部に固定され、前記海底面に挿入されて前記基礎スラブを前記海底面に固定させる複数のパイルをさらに含むことを特徴とする、請求項５に記載の海上風力発電機用基礎スラブ。
【請求項１１】
前記タワーは観測ステーションを備え、
前記観測ステーションと海底面を連結して前記タワーを支持する複数の係留装置をさらに含むことを特徴とする、請求項５に記載の海上風力発電機用基礎スラブ。
【請求項１２】
前記係留装置は、
前記観測ステーションに固定されるワイヤ；及び
前記ワイヤに連結され、前記海底面に固定されるアンカー；
を含むことを特徴とする、請求項１１に記載の海上風力発電機用基礎スラブ。
【請求項１３】
海上風力発電機用基礎スラブにおいて、
縁部から中心部側に膨らむ流線形状に形成され、タワーが結合され且つ海底面に挿入されるモノパイルが前記中心部に固定される胴体部；及び
前記縁部から下方に逆円錐台状に形成され、海底面に挿入されて前記基礎スラブを前記海底面に固定させる挿入部；
を含むことを特徴とする、海上風力発電機用基礎スラブ。
【請求項１４】
前記挿入部は、外周面に螺旋状溝が形成されることを特徴とする、請求項１３に記載の海上風力発電機用基礎スラブ。
【請求項１５】
海上風力発電機用基礎スラブにおいて、
縁部から中心部側に膨らむ流線形状に形成され、タワーが結合され且つ海底面に挿入されるモノパイルが前記中心部に固定される胴体部；及び
前記縁部から下方に爪状に形成され、海底面に挿入されて前記基礎スラブを前記海底面に固定させる複数の挿入部；を含み、
前記挿入部は、外周面と内周面に螺旋状溝が形成されることを特徴とする、海上風力発電機用基礎スラブ。
【請求項１６】
海上風力発電機用基礎スラブにおいて、
縁部から中心部側に膨らむ流線形状に形成され、タワーが結合され且つ海底面に挿入されるモノパイルが前記中心部に挿入されて支持されるつかみ状の固定部が備えられた胴体部を含むことを特徴とする、海上風力発電機用基礎スラブ。
【請求項１７】
前記胴体部の下端に設置される二重状の板構造部をさらに含み、
前記板構造部は、
複数の孔が形成され、前記胴体部の下端に固定設置される第１プレート；及び
複数の孔が形成され、前記第１プレートの下端に前記第１プレートの中心軸を基準として回転可能に設置される第２プレートを含み、
前記第２プレートに形成された孔は、前記第２プレートの回転によって前記第１プレートに形成された孔と連通するかあるいは前記第１プレートによって閉鎖することを特徴とする、請求項１６に記載の海上風力発電機用基礎スラブ。
【発明の詳細な説明】
【技術分野】
【０００１】
本発明は海上風力発電機のモノパイルに適用可能な洗掘防止用キャップに係り、特にタワー補強及び洗掘防止とこれによる支持構造物の転倒破壊を防止することができる洗掘防止用キャップに関する。
【背景技術】
【０００２】
海上に設置される海上風力発電機は、空気の運動エネルギーを用いて電気エネルギーを発生させる。
【０００３】
海上では陸上に比べて微風が連続して吹くが、大規模の風車支柱を海上に安全に設置しなければならない技術的な困難さがある。特に、海上風力発電機の下部基礎の製作、運搬及び設置は風力発電機の次に費用が高くかかるため、海底地盤の特性に適した効率的な下部基礎の設計が要求される。
【０００４】
海上風力発電機の基礎は、水深によって、深さ０〜２０ｍでは重力式（Ｇｒａｖｉｔｙ Ｂａｓｅｄ）基礎、０〜３０ｍではモノパイル（Ｍｏｎｏｐｉｌｅ）基礎、３０〜５０ｍではトライポッド（Ｔｒｉｐｏｄ）基礎、３０〜８０ｍではジャケット（Ｊａｃｋｅｔ）基礎、そして５０ｍ以上では浮遊式（Ｆｌｏａｔｉｎｇ）基礎が使われる。
【０００５】
一般に、海上風力発電機の基礎は、風力発電機そのものの荷重よりも海上の波力または高い位置で作用する風力による転倒モーメント（Ｏｖｅｒｔｕｒｎｉｎｇ Ｍｏｍｅｎｔ）が支配的な外力として作用する。このように、海上風力発電機の支持構造物の設計においては、風及び波浪による転倒モーメントが支配的な外力であるので、海底地盤に定着される下部基礎は特にこの転倒モーメントに効率よく抵抗することができる基礎の形式に設計されなければならない。
【０００６】
図１は従来の風力発電機の構成図である。
【０００７】
例えば、特許文献１は風力発電機を紹介している。前記特許文献１は、図１に示すように、海底地盤に装着される基部２、基部２に付着されるタワー３、及びバラスト水槽６、７を含み、バラスト水を前記バラスト水槽６、７に満たすことで風力発電機を下降させることができ、バラスト水槽６、７内のバラスト水の量を減らすことで風力発電機を上昇させることができるが、前記特許文献１によれば、前記基部２が直角形状に形成され、角部の接続部が脆弱であることができるため、補強が必要である。
【先行技術文献】
【特許文献】
【０００８】
【特許文献１】大韓民国特許出願第１０−２００２−７００５９２３号明細書
【発明の概要】
【発明が解決しようとする課題】
【０００９】
本発明は前述したような問題を解決するためになされたもので、タワーを支持する基礎スラブを流線形に形成することで、海底基礎地盤の浸食による支持構造物の転倒破壊を防止することができる海上風力発電機用基礎スラブを提供することにその目的がある。
【課題を解決するための手段】
【００１０】
前記目的を達成するために、本発明による洗掘防止用キャップは、海上風力発電機支持用モノパイルが貫通する貫通孔が中心部に形成され、前記中心部から縁部側に延設され、前記中心部側に膨らむように形成された胴体部を含むことを特徴とする。
【００１１】
本発明によれば、前記胴体部は複数の孔を含むことで、海水中で前記キャップを前記モノパイルに設置する場合、正の浮力を低減させることができる。
【００１２】
本発明によれば、前記胴体部の下端に形成された縁部に連結され、海底面に挿入されるように形成された挿入部をさらに含むことができる。
【００１３】
本発明によれば、前記貫通孔の外周面に垂直に延設され、前記モノパイルを支持する固定部をさらに含むことができる。
【００１４】
また、前記目的を達成するために、本発明による海上風力発電機用基礎スラブは、縁部から中心部側に膨らむように形成され、前記中心部にタワーが固定される胴体部；及び前記縁部から下方に円筒状に形成され、海底面に挿入されて前記基礎スラブを前記海底面に固定させる挿入部；を含むことを特徴とする。
【００１５】
本発明によれば、前記挿入部は、サクション圧力によって前記海底面に挿入されて固定されることができる。
【００１６】
本発明によれば、前記挿入部は末端に挿入刃が形成されることができる。
【００１７】
本発明によれば、前記挿入刃は、前記挿入部の両面がテーパー状に形成されてなることができる。
【００１８】
本発明によれば、前記挿入刃は、前記挿入部の一面がテーパー状に形成されてなることができる。
【００１９】
本発明によれば、前記胴体部に固定され、前記海底面に挿入されて前記基礎スラブを前記海底面に固定させる複数のパイルをさらに含むことができる。
【００２０】
本発明によれば、前記タワーは観測ステーションを備え、前記観測ステーションと海底面を連結して前記タワーを支持する複数の係留装置をさらに含むことができる。
【００２１】
本発明によれば、前記係留装置は、前記観測ステーションに固定されるワイヤ；及び前記ワイヤに連結され、前記海底面に固定されるアンカー；を含むことができる。
【００２２】
また、前記目的を達成するために、本発明による海上風力発電機用基礎スラブは、縁部から中心部側に膨らむように形成され、前記中心部にタワーが固定される胴体部；及び前記縁部から下方に逆円錐台状に形成され、海底面に挿入されて前記基礎スラブを前記海底面に固定させる挿入部；を含むことを特徴とする。
【００２３】
本発明によれば、前記挿入部は、外周面に螺旋状溝が形成されることができる。
【００２４】
また、前記目的を達成するために、本発明による海上風力発電機用基礎スラブは、縁部から中心部側に膨らむように形成され、前記中心部にタワーが固定される胴体部；及び前記縁部から下方に爪状に形成され、海底面に挿入されて前記基礎スラブを前記海底面に固定させる複数の挿入部；を含み、前記挿入部は、外周面と内周面に螺旋状溝が形成されることを特徴とする。
【００２５】
また、前記目的を達成するために、本発明による海上風力発電機用基礎スラブは、縁部から中心部側に膨らむように形成され、前記中心部にタワーが挿入されて支持されるつかみ状の固定部が備えられた胴体部を含むことを特徴とする。
【００２６】
本発明によれば、前記胴体部の下端に設置される二重状の板構造部をさらに含み、前記板構造部は、複数の孔が形成され、前記胴体部の下端に固定設置される第１プレート；及び複数の孔が形成され、前記第１プレートの下端に前記第１プレートの中心軸を基準として回転可能に設置される第２プレートを含み、前記第２プレートに形成された孔は、前記第２プレートの回転によって前記第１プレートに形成された孔と連通するかあるいは前記第１プレートによって閉鎖することができる。
【発明の効果】
【００２７】
前述したように、本発明による海上風力発電機用基礎スラブによれば、タワーを支持する基礎スラブを流線形に形成することで、前記基礎スラブの周辺が洗掘によって浸食されることを防止して支持構造物の転倒破壊を防止することができる効果がある。
【図面の簡単な説明】
【００２８】
【図１】従来の風力発電機の構成図である。
【図２】本発明の洗掘防止用キャップの構成図である。
【図３ａ】図２のＡ部の拡大図である。
【図３ｂ】図２のＡ部の拡大図である。
【図４ａ】本発明による洗掘防止用キャップの第１設置状態を示す図である。
【図４ｂ】発明の第１実施例による海上風力発電機用基礎スラブの第１設置状態を示す図である。
【図５ａ】本発明による洗掘防止用キャップの第２設置状態を示す図である。
【図５ｂ】本発明の第１実施例による海上風力発電機用基礎スラブの第２設置状態を示す図である。
【図６】本発明の洗掘防止用キャップを段階的に設置する様子を示す図である。
【図７】本発明の第２実施例による海上風力発電機用基礎スラブの構成図である。
【図８】本発明の第３実施例による海上風力発電機用基礎スラブの構成図である。
【図９】本発明の第４実施例による海上風力発電機用基礎スラブの第１構成図である。
【図１０】本発明の第４実施例による海上風力発電機用基礎スラブの第２構成図である。
【図１１】図１０に示す板構造部の作動を示す図である。
【発明を実施するための形態】
【００２９】
以下、添付図面に基づいて本発明の実施例を詳細に説明する。まず、図面において、同一構成要素または部品はなるべく同一参照符号で示している。本発明の説明において、関連の公知機能あるいは構成についての具体的な説明は本発明の要旨をあいまいにしないようにするために省略する。
【００３０】
図２は本発明の洗掘防止用キャップの構成図である。
【００３１】
本発明による洗掘防止用キャップは、図２に示すように、胴体部１１０及び挿入部１２０を含む。
【００３２】
前記胴体部１１０は内部空間を備え、縁部１１１から中心部１１２側に膨らむように形成されて釜蓋の形状を取っており、前記中心部１１２にタワー、具体的にタワーの下部基礎物（ｓｕｂｓｔｒｕｃｔｕｒｅ）であるモノパイルを固定させることができる。ここで、前記タワーは前記胴体部１１０の中心部１１２に形成された貫通孔に挿入されて固定できる。
【００３３】
一般に、スカーリング（ｓｃｏｕｒｉｎｇ）現象、つまり洗掘現象は、波浪、水流などによって海岸、堤防、河床、テラス、転換水路の床が浸食されてなくなる現象であり、前記胴体部１１０が縁部１１１から中心部１１２側に膨らむように流線形に形成されることにより、海水によって前記洗掘防止用キャップ１００の周辺の海底地盤が浸食されることを防止することができ、これにより前記タワーが偏心荷重によって転倒破壊されることを防止することができる。
【００３４】
また、前記胴体部１１０は前記中心部１１２の周辺に複数の孔が形成されることができる。よって、前記胴体部１１０を海底面に設置するとき、前記中心部１１２の周辺に形成された複数の孔を通じて前記胴体部１１０の内部の海水が前記胴体部１１０の外部に容易に排出できるので、前記胴体部１１０を海底面に容易に設置することができる。
【００３５】
すなわち、洗掘防止用キャップ１００を海底面に沈めるとき、正の浮力によって下降時に難しさがあり得るので、胴体部１１０に複数の孔を形成させることで、洗掘防止用キャップ１００の荷重による負の浮力だけが作用するようにして、海上風力発電用モノパイル５００に定着させるのに有利になるようにすることができる。
【００３６】
挿入部１２０は前記縁部１１１から下方に円筒状に形成され、海底面に挿入されて前記洗掘防止用キャップ１００を前記海底面に固定させることができるが、挿入部１２０がなくても設置可能である。
【００３７】
図３ａ及び図３ｂは図２のＡ部の拡大図である。
【００３８】
ここで、前記挿入部１２０は、前記海底面への挿入が容易になるように末端に挿入刃が形成できる。前記挿入刃は、図３ａに示すように、前記挿入部１２０の両面がテーパー状に形成されるか、あるいは図３ｂに示すように、前記挿入部１２０の一面がテーパー状に形成されることができる。
【００３９】
図４ａは本発明による洗掘防止用キャップの第１設置状態を示す図である。
【００４０】
図４ａに示すように、前記胴体部１１０のような流線形のキャップによって洗掘現象を防止することができる。これは従来のモノパイル形態の海上風力発電機の基礎にそのまま適用可能である。
【００４１】
すなわち、従来の海上風力発電用モノパイルに洗掘防止用キャップ１００を嵌合することで、モノパイル５００の周辺で引き起こされる洗掘現像を防止することができる。洗掘防止用キャップ１００は鉄材またはコンクリート構造物であることができ、その内部は空間をなすようになる。
【００４２】
一方、前記洗掘防止用キャップ１００は陸上で製作して海上に運送される。この際、前記洗掘防止用キャップ１００が余り重ければ、船舶による運送の際に沈むため、運送が難しい問題点があり、特にスチール材で製作される場合には腐食に弱い問題点があるので、前記洗掘防止用キャップ１００は、腐食防止及び容易な運送のために、比重０．９の複合素材で製造することができる。特に、容易な運送のために、複数の切片にモジュール化し、運送した後に現場で組み立てて施工することが有利であることができる。
【００４３】
図４ｂは本発明の第１実施例による海上風力発電機用基礎スラブの第１設置状態を示す図である。
【００４４】
図４ａの場合には従来のモノパイルに単純に洗掘防止用キャップ１００を嵌合した形態であるが、図４ｂの実施例は洗掘防止用キャップ１００のような形状をそのまま基礎スラブ１００として適用したものである。
【００４５】
すなわち、本発明は、図４ｂに示すように、挿入部１２０は前記縁部１１１から下方に円筒状に形成され、海底面に挿入されて前記基礎スラブ１００を前記海底面に固定させることができる。具体的に、前記挿入部１２０はサクション圧力（ｓｕｃｔｉｏｎ ｐｒｅｓｓｕｒｅ）によって前記海底面に挿入されて固定されることができる。すなわち、前記挿入部１２０は内部の水や空気のような流体を外部にサクション（ｓｕｃｔｉｏｎ）することによって発生した挿入部１２０の内外部の圧力差を用いて設置できる。
【００４６】
また、複数のパイル（ｐｉｌｅ）３００をさらに含むことができる。これは、胴体部１１０の内部空間にセメントなどのグラウト材でグラウトした後、前記胴体部１１０に前記パイル３００を固定することによって可能である。
【００４７】
図５ａは本発明による洗掘防止用キャップの第２設置状態を示す図、図５ｂは本発明の第１実施例による海上風力発電機用基礎スラブの第２設置状態を示す図である。
【００４８】
また、本発明は、前記タワーを支持するために、図５ａ及び図５ｂに示すように、複数の係留装置（Ｍｏｏｒｉｎｇ ｄｅｖｉｃｅ）４００をさらに含むことができる。
【００４９】
具体的に、前記タワー２００は、タワーの維持保守のための観測ステーション２１０を備えることができる。前記係留装置４００は前記観測ステーション２１０と海底面を連結することで、前記タワー２００を四方で支持することができる。
【００５０】
前記係留装置４００はワイヤ４１０及びアンカー４２０を含む。前記ワイヤ４１０は前記観測ステーション２１０に固定されることができ、前記アンカー４２０は前記ワイヤ２１０に連結され、前記海底面に固定できる。この際、前記ワイヤ４１０は両方向テンションを与えるワイヤ引張装置４１１を備えることができ、前記アンカー４２０は前記挿入部１２０と同様にサクション圧力によって前記海底面に挿入されて固定されることができる。
【００５１】
ここで、前記ワイヤ引張装置４１１は前記ワイヤ４１０の中間部分に位置するか、あるいは図示されていないが、前記観測ステーション２１０に位置することができ、前記ワイヤ４１０は一本的に形成されて前記観測ステーション２１０の四方に設置されることができる。
【００５２】
図６は本発明の洗掘防止用キャップを段階的に設置する様子を示す図である。
【００５３】
本発明の洗掘防止用キャップを設置する手順は図６に示すようである。
【００５４】
すなわち、図６の（ａ）に示すように、まず海底面にモノパイル５００を固定する。その後、図６の（ｂ）に示すように、キャップ形状の洗掘防止用キャップ１００を前記モノパイル５００に嵌合した後、前記モノパイル５００と洗掘防止用キャップ１００の連結部位をグラウトすることにより、前記モノパイル５００と洗掘防止用キャップ１００の固定力を強化させることができる。
【００５５】
その後、図６の（ｃ）に示すように、前記モノパイル５００とタワー２００を結合した後、図６の（ｄ）に示すように、ワイヤ４１０を観測ステーション２１０に固定し、アンカー４２０を前記ワイヤ２１０に連結して海底面に固定することにより、前記タワー２００の支持力を強化させることができる。
【００５６】
以下に説明する海上風力発電機用基礎スラブ１００は、前述したように、単に洗掘防止用キャップ１００を嵌合してその内部が空間であることもでき、グラウト処理してそのものがスラブ基礎としても使用可能なので、たとえ基礎スラブ１００と表現しているが、これは基礎スラブ１００と洗掘防止用キャップ１００を含む実施例を表現したものなので、基礎スラブ１００の権利範囲に限定されるものではない。
【００５７】
図７は本発明の第２実施例による海上風力発電機用基礎スラブの構成図である。
【００５８】
本発明の第２実施例による海上風力発電機用基礎スラブは、図７に示すように、胴体部１１０及び挿入部１２０を含む。
【００５９】
前記胴体部１１０は、本発明の第１実施例による海上風力発電機用基礎スラブに含まれた胴体部と同様に、内部空間を備え、縁部１１１から中心部１１２側に膨らむように流線形に形成されることにより、前記基礎スラブ１００の周辺の海底地盤が浸食されることを防止することができる。
【００６０】
前記挿入部１２０は縁部１１１から下方に逆円錐台状に形成され、海底面に挿入されて前記基礎スラブ１００を前記海底面に固定させることができる。ここで、前記挿入部１２０は外周面に螺旋状溝が形成されることにより、前記挿入部１２０が海底面に挿入された場合、海底の土砂が前記挿入部１２０に形成された螺旋状溝に充填されて前記挿入部１２０の移動を防止するので、前記基礎スラブ１００と海底面の固定力を向上させることができる。
【００６１】
以下、本発明の第３実施例による海上風力発電機用基礎スラブを詳細に説明する。
【００６２】
図８は本発明の第３実施例による海上風力発電機用基礎スラブの構成図である。
【００６３】
本発明の第３実施例による海上風力発電機用基礎スラブは、図８に示すように、胴体部１１０及び複数の挿入部１２０を含む。
【００６４】
前記胴体部１１０は、本発明の第１実施例及び第２実施例による海上風力発電機用基礎スラブに含まれた胴体部と同様に、内部空間を備え、縁部１１１から中心部１１２側に膨らむように流線形に形成されることにより、前記基礎スラブ１００の周辺の海底地盤が浸食されることを防止することができる。
【００６５】
前記挿入部２００は前記縁部１１１から下方に爪状に形成され、海底面に挿入されて前記基礎スラブ１００を前記海底面に固定させることができる。ここで、前記挿入部１２０は外周面及び内周面に螺旋状溝が形成されることにより、前記螺旋状溝に海底の土砂が充填されて前記基礎スラブ１００と海底面の固定力を向上させることができる。
【００６６】
以下、本発明の第４実施例による海上風力発電機用基礎スラブを詳細に説明する。
【００６７】
図９は本発明の第４実施例による海上風力発電機用基礎スラブの第１構成図である。
【００６８】
本発明の第４実施例による海上風力発電機用基礎スラブは、図９に示すように、胴体部１１０を含む。
【００６９】
前記胴体部１１０は、本発明の第１実施例ないし第３実施例による海上風力発電機用基礎スラブに含まれた胴体部と同様に、内部空間を備え、縁部１１１から中心部１１２側に膨らむように流線形に形成されることにより、前記基礎スラブ１００の周辺の海底地盤が浸食されることを防止することができ、前記中心部１１２にタワーが挿入されるつかみ状の固定部１１３が備えられることにより前記タワーを容易に支持することができる。
【００７０】
図１０は本発明の第４実施例による海上風力発電機用基礎スラブの第２構成図、図１１は図１０に示す板構造部の作動を示す図である。
【００７１】
一方、本発明の第４実施例による海上風力発電機用基礎スラブは、図１０に示すように、前記胴体部１１０の下端に設置される二重状の板構造部６００をさらに含む。ここで、前記板構造部６００は、前記胴体部１１０の下端に設置される第１プレート６１０と、前記第１プレート６１０の下端に回転可能に設置される第２プレート６２０とを含む。
【００７２】
前記第１プレート６１０は複数の孔が形成されたもので、前記胴体部１１０の下端に固定設置され、前記第２プレート６２０は複数の孔が形成されたもので、前記第１プレート６１０の下端に前記第１プレート６１０の中心軸を基準として回転可能に設置される。ここで、前記第２プレート６２０に形成された孔は、図１１に示すように、前記第２プレート６２０の回転によって前記第１プレート６１０に形成された孔と連通するかあるいは前記第１プレート６１０によって閉鎖することができる。
【００７３】
すなわち、本発明による基礎スラブの設置の際には、前記第１プレート６１０と第２プレート６２０に形成された孔を互いに連通させて、前記胴体部１１０の内部に海水が流入するようにした後、胴体部１１０に形成された複数の孔を通じて海水を胴体部１１０の外部に容易に排出することができるので、正の浮力の低減によって基礎スラブを海底面に容易に設置することができ、基礎スラブの設置の後には、第２プレート６２０に形成された孔を閉鎖して前記板構造部６００が洗掘エネルギーを吸収するようにすることで、胴体部１１０に形成された複数の孔で発生することができる洗掘現象を防止することができる。
【００７４】
以上のように、本発明による海上風力発電機用基礎スラブを添付図面に基づいて説明したが、本明細書に開示された実施例及び図面によって本発明が限定されるものではなく、本発明の技術思想範囲内で当業者によって多様な変形が可能であるのはいうまでもない。
【産業上の利用可能性】
【００７５】
本発明は、タワー補強及び洗掘防止とこれによる支持構造物の転倒破壊を防止することができる洗掘防止用キャップに適用可能である。
【符号の説明】
【００７６】
１００    洗掘防止用キャップ、基礎スラブ
１１０    胴体部
１１１    縁部
１１２    中心部
１１３    固定部
１２０    挿入部
２００    タワー
２１０    観測ステーション
３００    パイル
４００    係留装置
４１０    ワイヤ
４１１    ワイヤ引張装置
４２０    アンカー
５００    モノパイル
６００    板構造部
６１０    第１プレート
６２０    第２プレート
【図１】
0005588540.tif 000002
【図２】
0005588540.tif 000003
【図３ａ】
0005588540.tif 000004
【図３ｂ】
0005588540.tif 000005
【図４ａ】
0005588540.tif 000006
【図４ｂ】
0005588540.tif 000007
【図５ａ】
0005588540.tif 000008
【図５ｂ】
0005588540.tif 000009
【図６】
0005588540.tif 000010
【図７】
0005588540.tif 000011
【図８】
0005588540.tif 000012
【図９】
0005588540.tif 000013
【図１０】
0005588540.tif 000014
【図１１】
0005588540.tif 000015